(57)【要約】【課題】  長期間に渡り適量の潅水を行うことができるようにすること。【解決手段】  この潅水装置１００では、樋１を逆さにし、水を所定量入れた容器３を固定部５に取り付ける。次に、樋１を容器３ごと再び逆さにして元に戻す。容器３内の水は、樋内の一定位置までしか出てこない（容器の口端部の位置と略同じ位置）。そして、樋１の溝内の水に浸すように潅水材１３を樋１内に垂らし、鉢２を樋１に設置する。潅水材１３は、樋１内の水を毛細管現象により吸い上げ、鉢２内に送る。鉢２内に送られた水は、土中が乾燥すると、発散または蒸発して土中に水分を供給する。これにより、鉢２に潅水を行うことができる。【選択図】    図７
2007282562.tif 000002
【特許請求の範囲】
【請求項１】
水を溜める樋と、水を入れた容器の口を取り付け得ると共に前記樋に設けられ且つ樋内に開口している固定部と、鉢内と樋内とに渡って設けると共に毛細管現象を呈する潅水材と、からなることを特徴とする潅水装置。
【請求項２】
水を溜める樋と、水を入れる容器と、この容器の口を取り付けると共に前記樋に設けられ且つ樋内に開口している固定部と、鉢内と樋内とに渡って設けると共に毛細管現象を呈する潅水材と、からなることを特徴とする潅水装置。
【請求項３】
水を溜める樋と、水を入れた容器の口を取り付け得ると共に前記樋に設けられ且つ樋内に開口している固定部と、鉢内と樋内とに渡って設けると共に毛細管現象を呈する潅水材と、樋上に設置される鉢又はプランターと、からなることを特徴とする潅水装置。
【請求項４】
水を溜める樋と、水を入れた容器の口を取り付け得ると共に前記樋に設けられ且つ樋内に開口している固定部と、鉢内と樋内とに渡って設けると共に毛細管現象を呈する潅水材と、樋上で鉢の下部を支持する支持部を有し、当該樋に取り付けられる鉢皿と、からなることを特徴とする潅水装置。
【請求項５】
前記潅水材は、ひも状体又は帯状体であることを特徴とする請求項１〜４のいずれか一つに記載の潅水装置。
【発明の詳細な説明】
【技術分野】
【０００１】
本発明は、植木鉢およびプランタンなどの植物栽培容器への補給容器を用いた自動潅水において、その植物栽培容器の下方に、ペットボトルを螺着できるねじ込み部又は専用の補水槽を嵌挿する嵌挿支持部を有する水路樋に関する。
【背景技術】
【０００２】
植木鉢及びプランタンの植物に潅水する手間を省くため、従来種々の潅水装置が提案されている。例えば、水を入れた容器を逆さに配置し、その先端から下方に向かってチューブを出し、このチューブを土中に埋没させた状態で潅水を行うもの、単に水を入れたペットボトルの蓋部分にノズルを設け、ペットボトルを逆さにし、当該ノズル先端を土中に差し込んだもの等がある。
【特許文献１】特開平０８−８９１０９号公報
【特許文献２】特開２０００−２８７５６４号公報
【特許文献３】実用新案登録第３０５２３３５号公報
【発明の開示】
【発明が解決しようとする課題】
【０００３】
以上、従来から様々な潅水装置があったが、いずれも適量の潅水を長期間行うには十分なものではなかった。そこで、この発明の目的は、このような問題点に鑑みてなされたものであり、長期間に渡り適量の潅水を行うことができる潅水装置を提供することを目的とする。
【課題を解決するための手段】
【０００４】
この発明の潅水装置は、水を溜める樋と、水を入れた容器の口を取り付け得ると共に前記樋に設けられ且つ樋内に開口している固定部と、鉢内と樋内とに渡って設けると共に毛細管現象を呈する潅水材と、からなることを特徴とする。前記固定部は、樋と一体成形でもよいし、別に製作して取り付けても良い。容器内の水は固定部の開口から樋内に流れて溜まり、毛細管現象を呈する潅水材を介して鉢内に送られる。潅水材には、例えば極細繊維集合体や多孔質材料等を用いる。前記容器は、請求項１では発明の構成要素ではないが、例えば市販のペットボトル等を用いることができる。
【０００５】
また、この潅水装置は、水を溜める樋と、水を入れる容器と、この容器の口を取り付けると共に前記樋に設けられ且つ樋内に開口している固定部と、鉢内と樋内とに渡って設けると共に毛細管現象を呈する潅水材と、からなることを特徴とする。
【０００６】
また、この潅水装置は、水を溜める樋と、水を入れた容器の口を取り付け得ると共に前記樋に設けられ且つ樋内に開口している固定部と、鉢内と樋内とに渡って設けると共に毛細管現象を呈する潅水材と、樋上に設置される鉢又はプランターと、からなることを特徴とする。前記鉢又はプランターは、その下部の樋が位置する部分に切欠部を有する。或いは、その下部に樋をまたぐ形状、例えば実施例に記載の切欠部のような樋形状に沿った矩形を有する。また、樋をまたぐ形状は、図示しないが鉢の底部に脚を設け、この脚で樋をまたぐような場合等も含む。
【０００７】
また、この潅水装置は、水を溜める樋と、水を入れた容器の口を取り付け得ると共に前記樋に設けられ且つ樋内に開口している固定部と、鉢内と樋内とに渡って設けると共に毛細管現象を呈する潅水材と、樋上で鉢の下部を支持する支持部を有し、当該樋に取り付けられる鉢皿と、からなることを特徴とする。前記支持部は、以下に図示するような平板形状でもよいし、棒状でもよい。前記鉢皿は、樋が位置する部分に切欠部を有する。或いは、樋をさける形状、例えば実施例に記載の切欠部のような樋形状に沿った矩形を有する。
【０００８】
また、この潅水装置は、上記潅水装置において、前記潅水材が、ひも状体又は帯状体であることを特徴とする。この潅水材には、可撓性を有するものが好適である。
【発明の効果】
【０００９】
以上の潅水装置によれば、長期間に渡り適量の潅水を行うことができる。
【発明を実施するための最良の形態】
【００１０】
（実施例１）
図１は、この発明の実施例１に係る潅水装置の樋を示す上面図、図２は、この樋の側面図、図３は、底面図である。図４及び図５は、この発明の潅水装置の樋に用いる鉢を示す側面図、図６は、上面図である。この潅水装置１００は、樋１と、鉢２と、容器３と、潅水材４から構成される。この樋１は、両端及び中央に容器３を取り付ける円筒形状の固定部５が設けられている。この樋１は、水を溜めるため断面がコの字形状であり、射出成形等によって樹脂により一体成形される。前記各固定部５は、その内側に雌ねじ６が形成され、且つ、両端の固定部５の下部は開口部７が設けられ、この開口部７で樋１の溝内（樋内）と通じている。また、中央の固定部５の下部両側にも開口部８が設けられ、この開口部８で樋１の溝内と通じ且つこの固定部５の両側の水が当該開口部８を通じて行き来する。このため、各固定部５に水を入れると、その水は固定部５を取って樋１に流れ、この樋１の溝内に均一に溜まるようになっている。また、前記各固定部５の裏面には、突起９が設けられている。
【００１１】
図４に示すように、この鉢２は、底部に排水のための切欠部１０が設けられ、図５に示すように、この排水用の切欠部１０とは別に前記樋１の断面形状に沿った形状の四角形状の切欠部１１が設けられている。鉢２を設置した状態で、この切欠部１１に樋１が嵌り込む。鉢２の底面には、図６に示すように、排水穴１２が複数設けられている。
【００１２】
また、鉢２の底面中央には、ひも状又は帯状の潅水材１３を差し込む、潅水穴１４が設けられている。潅水材１３は、ひも状または帯状であり、鉢２の内部から樋１の溝内に渡って配置される。潅水材１３には、毛細管現象を有する素材であれば、どのようなものでも用いることができる、このような潅水材１３には、例えば、毛細管現象を起こす極細繊維集合体や多孔質材料等を用いる。例えば、親水性の高い繊維の細い不織布又は織布や、ポリビニルアルコール(PVA)等の親水性の高いスポンジや、ポリエチレン（PE）、エチレン-酢ビ共重合体（EVA）、ポリプロピレン（PP）、ポリスチレン（PS）、スチレン-アクリロニトリル共重合体（AS）、スチレン-ブタジエン-アクリロニトリル共重合体（ABS）、ポリ塩化ビニル（PVC）、ポリカーボネート（PC）、ポリアミド（PA）、アクリル樹脂（PMMA）、フッ素樹脂（PVDF,PTFE）等の高分子多孔質体等を用いることができる。
【００１３】
前記容器２には、市販のペットボトル又は専用のボトルを用いる（詳細後述）。これらのペットボトルや専用のボトルは、その開口部が前記樋１の固定部５に取り付けられる。
【００１４】
図７は、この発明の潅水装置の組立図、図８は、その上面図、図９は、底面図である。この潅水装置１００では、樋１の固定部５と固定部５との間に２つの鉢２を配置する。樋１が鉢２の切欠部１１に嵌り込み、鉢２と樋１１とが固定される。鉢２の固定状態で、鉢２の底面と、固定部５下方の突起９とで、潅水装置１００全体を支持する。また、図８及び図９に示すように、鉢２の底面に設けた前記排水穴１２は一部が樋１の外側に位置する。また、潅水穴１４は、樋１の溝上に位置する。
【００１５】
図１０は、樋に容器を取り付けた状態を示す側面図である。図１１は、固定部に容器を取り付けた状態を示す断面図である。この樋１に適する容器は、例えば、お茶等の飲料を販売する際に用いられている５００ｍｌの透明のペットボトルである。固定部５の内側には雌ねじ６が形成されており、この雌ねじ６に容器３の口の雄ねじ１５をねじ込む。固定部５の内側には、容器３の口端部が当る環状の突起１６が形成される。容器３は、口端部が前記突起１６に当るまで、ねじ込まれ、固定される。なお、容器３として、前記市販のペットボトルと同じような大きさの専用のボトルを用いることもできる。また、当該ボトルには、水の量を示す目盛り等を設けることができる（図示省略）。さらに、図示しないが、容器の口端の位置（高さ）により樋内の水位が略決定されるので、容器のねじ込み量により水位を調整するようにしても良い。その場合、例えば雌ねじ６と雄ねじ１５との嵌め合いは、若干しまり気味にする。
【００１６】
図１２は、樋から鉢に水を供給する潅水材の配置状態を示す説明図である。この潅水材１３は、鉢２の潅水穴１４から樋１の内溝内に垂らすように配置される。鉢２を樋１に取り付ける前に、潅水材１３を鉢２の潅水穴１４に入れ、潅水材１３を樋１の溝内に入れながら鉢２を樋１に取り付ける。
【００１７】
以上の潅水装置１００では、樋１を逆さにし、水を所定量入れた容器３を固定部５に取り付ける。次に、樋１を容器３ごと再び逆さにして元に戻す。容器３内の水は、樋内の一定位置までしか出てこない（容器の口端部の位置と略同じ位置）。そして、樋１の溝内の水に浸すように潅水材１３を樋１内に垂らし、鉢２を樋１に設置する。潅水材１３は、樋１内の水を毛細管現象により吸い上げ、鉢２内に送る。鉢２内に送られた水は、土中が乾燥すると、発散または蒸発して土中に水分を供給する。これにより、鉢２に潅水を行うことができる。潅水により減少した水は、容器３から樋１内に供給される。これにより、適量の水を長期間に渡って自動的に鉢２に潅水できる。潅水量は、潅水材３の材料や量により調整する。例えば、多く潅水したい場合は、潅水材１３の本数を増やしたり（例えば、図１２の例では２本）、太い潅水材１３を用いたりする。少なくしたい場合は、潅水材１３の本数を減らしたり（例えば１本）、細い潅水材１３を用いたりする。
【００１８】
なお、この実施例１では樋１の形状は、直線形状としたが、単数または複数の上記固定部５を有する、十字形状、湾曲形状、環状等の様々な形状とすることができる。また、素材は、樹脂のほか、木、ガラス、陶器等でもよい。また、上記では、鉢２を樋１に最初に取り付けてから容器３を固定するようにしても良い。また、鉢２に土を入れるのは、鉢２を樋１に取り付ける前でも後でも良い（以下、実施例２，３において同じ）。
【００１９】
（実施例２）
図１３は、この発明の実施例２に係る潅水装置の樋を示す鉢皿を示す上面図である。図１４は、鉢皿の側面図、図１５は、鉢皿の底面図である。この鉢皿２１は、上記実施例１に示した樋１に対して取り付けるものであり、樋１が嵌る切欠部２２と、市販の鉢の底を支持すると共に底面から立設した複数の平板２３と、底面に設けた複数の突起２４とを有する。
【００２０】
図１６は、樋に鉢皿を取り付けた状態を示す側面図である。図１７は、上面図であり、図１８は底面図である。鉢皿２１の切欠部２２に樋１を嵌め入れるだけで、鉢皿２１と樋１を組み立てられる。図１６に示すように、樋１の下の突起６と、鉢皿２１の底面の突起２４とが、組立状態で同じ位置となる。この潅水装置２００に用いる鉢２５は、実施例１に示したような樋用の切欠部１１を有する専用の鉢２である必要はなく、市販のどのような鉢でもよい。市販の鉢２５を用いる場合、鉢２５の底の排水穴から実施例１と同様の潅水材１３の一部を鉢２５内に入れ、他方を樋１の溝内に配置する。
【００２１】
潅水方法は、実施例１と同じ手順で行う。即ち、水を入れた容器３を、樋１を逆さにした状態で前記固定部５に固定し、これをひっくり返す。これにより樋１に所定の水が満たされる。次に、市販の鉢２５の排水穴から潅水材１３の一部を鉢２５内に入れ、潅水材１３の他部を樋１の溝内に入れる。水は、潅水材１３の有する毛細管現象により鉢２５内に運ばれ、土の乾燥等により水が蒸発または発散することで供給される。
【００２２】
（実施例３）
図１９は、この発明の実施例３に係る潅水装置のプランターを示す側面図である。この潅水装置３００は、上記実施例１の鉢２の代わりに略矩形のプランター３１を用いたものである。このプランター３１の下部には、樋１が嵌り込む切欠部３２が設けられている。図２０は、この実施例３の潅水装置の上面図、図２１は、潅水装置の底面図、図２２は、側面図である。この潅水装置３００では、樋１の両端に容器３を固定する固定部５を設ける。プランター３１の切欠部３２に樋１を嵌め込み固定する。後は、実施例１と同様に、水を入れた容器３を樋１の固定部５に取り付ける。潅水材１３は、一部がプランター３１の排水穴３３から内部に入れられ、他方が樋１の溝内に配置される。水は、潅水材１３の有する毛細管現象によりプランター３１内に運ばれ、土の乾燥等により水が蒸発または発散することで供給される。
【００２３】
上記実施例１〜３の潅水装置は、次のパターンにより販売できる。具体的には、（１）樋及び潅水材のみ、（２）樋及び潅水材と専用の鉢またはプランター、（３）樋及び潅水材と鉢皿、（４）樋及び潅水材と専用のボトル、（５）樋及び潅水材と専用のボトルと専用の鉢またはプランター、（６）樋及び潅水材と専用のボトルと鉢皿の形態でそれぞれ販売できる。もちろん、専用のボトルの代わりに、市販の汎用的なペットボトルを用いることができ、鉢皿を用いた場合には、市販の鉢を用いることができる。
【図面の簡単な説明】
【００２４】
【図１】この発明の実施例１に係る潅水装置の樋を示す上面図である。
【図２】図１に示した樋の側面図である。
【図３】図１に示した樋の底面図である。
【図４】この発明の潅水装置の樋に用いる鉢を示す側面図である。
【図５】この発明の潅水装置の樋に用いる鉢を示す側面図である。
【図６】この発明の潅水装置の樋に用いる鉢を示す上面図である。
【図７】この発明の潅水装置の組立図である。
【図８】この発明の潅水装置の上面図である。
【図９】この発明の潅水装置の底面図である。
【図１０】樋に容器を取り付けた状態を示す側面図である。
【図１１】固定部に容器を取り付けた状態を示す断面図である。
【図１２】樋から鉢に水を供給する潅水材の配置状態を示す説明図である。
【図１３】この発明の実施例２に係る潅水装置の樋を示す鉢皿を示す上面図である。
【図１４】この発明の実施例２に係る潅水装置の樋を示す鉢皿を示す側面図である。
【図１５】この発明の実施例２に係る潅水装置の樋を示す鉢皿を示す底面図である。
【図１６】樋に鉢皿を取り付けた状態を示す側面図である。
【図１７】樋に鉢皿を取り付けた状態を示す上面図である。
【図１８】樋に鉢皿を取り付けた状態を示す底面図である。
【図１９】この発明の実施例３に係る潅水装置のプランターを示す側面図である。
【図２０】この実施例３の潅水装置の上面図である。
【図２１】この実施例３の潅水装置の底面図である。
【図２２】この実施例３の潅水装置の側面図である。
【符号の説明】
【００２５】
１００  潅水装置
１  樋
２  鉢
３  容器
４  潅水材
５  固定部
７，８  開口部
９  突起
【図１】
2007282562.tif 000003
【図２】
2007282562.tif 000004
【図３】
2007282562.tif 000005
【図４】
2007282562.tif 000006
【図５】
2007282562.tif 000007
【図６】
2007282562.tif 000008
【図７】
2007282562.tif 000009
【図８】
2007282562.tif 000010
【図９】
2007282562.tif 000011
【図１０】
2007282562.tif 000012
【図１１】
2007282562.tif 000013
【図１２】
2007282562.tif 000014
【図１３】
2007282562.tif 000015
【図１４】
2007282562.tif 000016
【図１５】
2007282562.tif 000017
【図１６】
2007282562.tif 000018
【図１７】
2007282562.tif 000019
【図１８】
2007282562.tif 000020
【図１９】
2007282562.tif 000021
【図２０】
2007282562.tif 000022
【図２１】
2007282562.tif 000023
【図２２】
2007282562.tif 000024
【手続補正書】
【提出日】平成19年7月22日(2007.7.22)
【手続補正１】
【補正対象書類名】特許請求の範囲
【補正対象項目名】全文
【補正方法】変更
【補正の内容】
【特許請求の範囲】
【請求項１】
鉢の底部の切欠部に嵌り込み、水が溜まる樋と、水を入れた容器の口を取り付け得ると共に、前記樋に設けられ且つ樋内に開口している固定部と、鉢内と樋内とに渡って設けると共に毛細管現象を呈する潅水材と、からなることを特徴とする潅水装置。
【請求項２】
鉢の底部の切欠部に嵌り込み、水が溜まる樋と、水を入れる容器と、この容器の口を取り付けると共に前記樋に設けられ且つ樋内に開口している固定部と、鉢内と樋内とに渡って設けると共に毛細管現象を呈する潅水材と、からなることを特徴とする潅水装置。
【請求項３】
水を溜める樋と、水を入れた容器の口を取り付け得ると共に前記樋に設けられ且つ樋内に開口している固定部と、鉢内と樋内とに渡って設けると共に毛細管現象を呈する潅水材と、樋上に設置され且つ底部に前記樋が嵌り込む切欠部を有する鉢又はプランターと、からなることを特徴とする潅水装置。
【請求項４】
水を溜める樋と、水を入れた容器の口を取り付け得ると共に前記樋に設けられ且つ樋内に開口している固定部と、鉢内と樋内とに渡って設けると共に毛細管現象を呈する潅水材と、樋上で鉢の下部を支持する支持部を有し、当該樋に取り付けられる鉢皿と、からなることを特徴とする潅水装置。